Podtech/llm-jp-corpus-v4-ja_patent huggingface dataset:
(57)【要約】【課題】堤、丘などに行って遊ぶ時、斜面を利用してダンボールやプラスチックのソリなどで滑っていた。しかし途中ダンボールやソリが離れてうまく滑れず、衣服などが汚れてしまった。さらに必要以上に転がり落ちてしまった。  本発明は、子供達が安心して滑るための移動式滑り台を提供する。【解決手段】滑り部の一短辺を囲むように、略コの字状に空気栓を設けた空気袋を設け、他短辺には杭を打ち込む為の穴を並列に数個設け、滑り部の途中に先に設けた穴と同じように穴を設けたことを特徴とする移動式滑り台。【特許請求の範囲】
【請求項１】
滑り部の一短辺を囲むように、略コの字状に空気栓を設けた空気袋を設け、他短辺には杭を打ち込む為の穴を並列に数個設け、滑り部の途中に先に設けた穴と同じように穴を設けた移動式滑り台。
【発明の詳細な説明】
【技術分野】
【０００１】  本発明は、堤、丘などの斜面を利用して使う移動式滑り台に関するものである。
【背景技術】
【０００２】  従来、滑り台とは、公園や幼稚園などにあり、固定されている。
なお、家庭で気軽に何時でもできる、安全な幼児の室内滑り台がある。（特許文献１参照）。
【先行技術文献】
【０００３】
【特許文献１】特開  平６−６８５５６号公報
【発明の概要】
【発明が解決しようとする課題】
【０００４】  堤、丘などに行って遊ぶ時、斜面を利用して、ダンボールやプラスチックのソリなどで滑っていた。しかし、途中ダンボールやソリが離れてしまい、うまく滑れず衣服なども汚れてしまい、さらに、必要以上に転がり下りてしまった。
本発明は、以上の問題点を解決するためになされたものである。
【課題を解決するための手段】
【０００５】  滑り部の一短辺を囲むように、略コの字状に空気栓を設けた空気袋を設け、他短辺には杭を打ち込む為の穴を並列に数個設け、滑り部の途中に先に設けた穴を同じように穴を設ける。
以上の構成によりなる移動式滑り台。
【発明の効果】
【０００６】  従来、滑り台は固定され、その場所でしか出来なかった。本発明により手軽に移動が出来、滑り終わった時に空気袋があり、安全に遊ぶことができる。
【図面の簡単な説明】
【０００７】
【図１】本発明の斜視図
【図２】本発明の使用状態を示す斜視図
【図３】備品の図面
【発明を実施するための形態】
【０００８】  以下、本発明の実施の形態を説明する。
（イ）長尺で、幅は子供達が横に寝転んでも滑れる程度。表面は滑りやすく、肉厚でクッション性のある材質。例えば、塩化ビニール樹脂、ダンボール、ポリプロピレン等。裏面は滑り止め用又はウレタン等で全体的に軽量で一巻又は折りたたみの出来るシート状の滑り部（１）。
（ロ）滑り部（１）の一短辺に杭（６）を打ち込む穴（２）を並列に数個設ける。
（ハ）滑り部（１）の途中に（ロ）で述べた穴（２）と同じように穴（３）を設ける。
（ニ）滑り部（１）の他短辺を囲むように略コの字状の空気栓（５）を設けた空気袋（４）を設ける。
本発明は、以上のような構造である。
本発明を使用する時、堤、丘はなめらかな坂を選び、滑り部（１）を広げ、空気袋（４）に空気栓（５）から空気を入れ、穴（２）を設けた一短辺を斜面の上方に置き、空気袋（４）を設けた他辺を垂らし、穴（２）に杭（６）を入れ、取手（７）を残し土に埋める。又、長さを調節する為に穴（３）を使ってもよい。
子供達が滑る時は、取手（７）につかまれば安定するし、空気袋（４）があるので、思い切り滑っても安心である。
【符号の説明】
【０００９】  １滑り部、２穴、３穴、４空気袋、５空気栓、６杭、７取手
【図１】
2020081826.tif 000002
【図２】
2020081826.tif 000003
【図３】
2020081826.tif 000004
(57)【要約】【課題】錠剤やカプセル剤は、外見だけでは薬の名前がわかりにくく、従来印刷されている薬剤名、あるいは製薬会社名、あるいは、コード番号は読みにくく、情報が不十分で、医療事故の温床になっている。【解決手段】錠剤（１）やカプセル剤の表面に２次元コード（２）を印刷、刻印する。二次元コードはスマートホンや画像読み取り装置で簡単に読み取れ、薬剤情報提供ソフトにて十分な薬剤情報を瞬時に得ることが出来る。【選択図】図１
2020081823.tif 000002
【特許請求の範囲】
【請求項１】
表面に２次元コードを印刷、刻印したことを特徴とする錠剤、あるいはカプセル剤。
【請求項２】
前記２次元コードは、スマートホンや画像読み取り装置で読み取られ、薬剤情報が調べられることを特徴とする請求項１記載の錠剤ないしカプセル剤。
【発明の詳細な説明】
【技術分野】
【０００１】  この発明は、服薬する錠剤やカプセル剤の表面に２次元情報識別コードを印刷あるいは刻印することに関する。
【背景技術】
【０００２】  従来の錠剤やカプセル剤は、その表面に薬品名、社名や薬品コード番号を印字して、その薬剤の識別に供するのみであった。図２に示すように、錠剤の表面に刻印、印字されたものである。
【発明の概要】
【発明が解決しようとする課題】
【０００３】  しかしながら、以上の技術によれば、薬剤表面の印字は小さくて読み難く、また、薬品名や製薬会社あるいは番号といった情報しか読み取れず、薬剤の正確な名前や成分量などの薬剤情報は別の文献に当たって調べるしか方法はなかった。また、患者が持参した薬剤がなんであるかを調べるのに医療従事者は時間と労力を要し、しばしば不正確で医療事故の温床になっていた。
そこで、この発明は、錠剤が何であるかを瞬時に判別し、さらに、詳細な薬剤情報を瞬時に得られる技術を提供することを課題とする。
【課題を解決するための手段】
【０００４】  以上の課題を解決するために、第一発明は、錠剤の表面に識別用の２次元コード（たとえばＱＲコードなど）を印刷、刻印することを特徴とする錠剤あるいはカプセル剤である。
また、第二発明は、錠剤、カプセル剤の表面に印刷、刻印された２次元コードをスマートホンやそのほかの画像読み取り装置にて読み取り、薬剤情報を提供するシステム（ソフト）である。
【発明の効果】
【０００５】  第一発明、または第二発明によれば、薬剤に直接、２次元識別コードが印刷、刻印されているので、薬剤の識別が簡便で確実であり、そのほかの薬剤情報を瞬時に得られる。
【図面の簡単な説明】
【０００６】
【図１】この発明の一実施形態を示す斜視図である。
【図２】従来技術を示す斜視図である。
【発明を実施するための形態】
【０００７】  この発明の一実施形態を、図１に示す。
錠剤表面に、２次元識別コードが印刷されている。それをスマートホンなどの画像読み取り装置で読み込む。
【０００８】  「実施形態の効果」
この実施形態によれば、簡単にスマートホンなどの画像読み取り装置で読み取ることが出来、薬剤情報提供システムソフトにて、瞬時に薬剤情報を得ることが出来る。
「他の実施形態」
図１の実施形態では、錠剤の表面であったが、他の実施形態では、側面でも裏面でもよく、錠剤でなくカプセル剤でも良い。また、可視光でみえるものでも特殊光でみえるものでもよい。また、従来の薬剤名などの印字を併用してもよい。
【符号の説明】
【０００９】１  錠剤本体            ２  表面に印刷された２次元識別コード
３  従来の印刷された薬剤名・記号
【図１】
2020081823.tif 000003
【図２】
2020081823.tif 000004
(57)【要約】【課題】  従来の電動いすの利用者による踏切事故はほとんどが大事故につながり新聞紙上等でも悲惨な事故として取り上げられていたが、根本的な解決手段がなく、最近ようやく国もその改善命令等をメーカ−に出したようであるがその効果は長期間要すものと考えられる。【解決手段】ヘリウムガス注入の風船にのぼりを取り付け、その、のぼりには人目に付きやすい蛍光塗料にて助けを求める文字を書き、非常時に電動いすの容器に内蔵してあるのぼり付き風船を上空に飛ばし、近隣の住民に助けを求めるという装置である。【選択図】図１
2020081822.tif 000002
【特許請求の範囲】
【請求項１】
予めヘリウムガスボンベからゴム風船状の膨張体にガスを注入しておりそれ単体でも自然に宙に舞うことができる状態の（仮に風船という）を準備しておき、伝動椅子の側面に設けた開閉可能な容器に内蔵して、異常発生時に瞬時にその風船を上昇させて近くの住民に異常の通知と助けを求める事を特徴とした装置である。
【発明の詳細な説明】
【技術分野】
【０００１】本発明は特に電動車いすが踏切等で脱輪した場合搭乗者がいち早く周囲の人に危険を知らせて助けを求めることができる装置に関するものである。
【背景技術】
【０００２】従来、身体障がい者の方や足の不自由な方がひとりで外出する場合に電動車いすを利用する場合がほとんどでした。【０００３】電動車いす利用者が図２の踏切内にさしかかると、レ−ルの隙間や左側の段差に車輪が落下して脱出出来ず、助ける人も見つからず、進行してきた電車にはねられて大事故になる例や死亡する例が新聞紙上に取り上げられ、最近は国も安全性向上への取り組みを各メ−カ−に提言し始めたところと聞いている。
【発明の開示】
【発明が解決しようとする課題】
【０００４】通常の車いすは介護者と利用者が一諸に行動するものが一般的ですが介護者の負担を軽減させるために電動車いすの開発が進められてきたものですが、利用者の技能面の未熟等による面と車体の軽量化による安全対策の遅れ及び設計上の問題があるものと考えられる。
【課題を解決する手段】
【０００５】本発明は、車体の安全対策はメ−カ−に依存するとして、利用者が危険な状態にさらされた時にいちはやく周囲の人に危険を知らしめて助けを求める手段を構築するものである。
すなわち、予めヘリウムガスを注入した風船（例として２個）に布製の旗状ののぼりを連結して、のぼりには助けを求める文字を目立つ色で表示してあり、常に電動車いすの側面に取り付けた容器に保管しておき、危険にさらされた時に容器の蓋を開き風船を上空に浮かせ周囲の人に助けを求める事が出来る、又、合わせてホイッスル等を併用しても可。
【発明の効果】
【０００６】上述の様に本発明は大事故の危険はもとより身体障がい者特有の危険の予感時においても未然に防犯対策としても効果をもたらすものである。
【発明を実施する為の最良の形態】
【０００７】以下、本発明の実施形態を図１〜図６に基ずいて説明する。
【０００８】図１に於いては、通常の電動いすにヘリウムガスを注入した風船に危険を知らせるのぼりを上げて外部の人に助けを求める、全体像を示す。
【０００９】図２に於いては、通常の電動椅子の一例を示します、特に前輪の回転部の剛性が軟弱の為に踏切のレ−ルを通過する場合に車輪がレ−ル内に脱輪することがあるかと推測される。
【００１０】図３に於いては、通常の踏切を示します。特にレ−ルの幅が電動椅子の車輪幅同等で渡る時にかなり注意が必要と考えられる。
【００１１】  図４に於いては、風船にヘリウムガスを注入する状態を示します。風船の大きさ  は自由に誰でも簡単に出来る、また、ボンベは自由に携帯もできる。特に、風船は耐久性を重視して購入する。
【００１２】図５に於いては、風船とのぼりを結合して、のぼりには助けを求める文字を表して周囲の人にＰＲできるものとする。特に夜間は蛍光塗料で表示することが重要である
【００１３】図６に於いては、風船付のぼりを内蔵した容器を示し、電動椅子への着脱は取り付け金具により自由にできる、すなわち外出時のみ容器を取り付けることもできる。
【００１４】  以上のような効果があるために一つのユニットとして病院、介護施設、一般家庭にも必要に応じて購入取り付けが自由に出来る．．．
【図面の簡単な説明】
【００１５】
【図１】本発明の実施形態を示す電動椅子の警報装置
【図２】市販の電動椅子の外観を示す
【図３】通常の踏切上面図を示す
【図４】風船にヘリウムガスを注入する状態を示す
【図５】風船に危険を知らせるのぼりをつけた状態を示す
【図６】風船とのぼりをつけた状態の収納容器を示す
【符号の説明】
【００１６】１電動いす
２ヘリウムガス注入の風船
３のぼりの旗
４容器
５踏切
６ヘリウムガス注入ボンベ
７容器
８開閉ふた      ９取り付け金具
【図１】
2020081822.tif 000003
【図２】
2020081822.tif 000004
【図３】
2020081822.tif 000005
【図４】
2020081822.tif 000006
【図５】
2020081822.tif 000007
【図６】
2020081822.tif 000008
(57)【要約】      （修正有）【課題】短下肢装具を一層歩きやすくし、爽快な使用感を実現するとともに、障害のある人が積極的に使用して外出しようとする意欲をかきたてる。【解決手段】かかとの部分を斜めにカットすることにより、かかとが地面に引っかかることを防ぐ。また、土踏まずの部分の靴底をえぐることにより、靴底がしなって歩行しやすくなるようにする。また、インソールの土踏まずの部分にカーブをつけ、歩く機会が少ないために足のアーチ型が保てなくなっている人の歩行を助ける。また、取り外しのできるつま先部分に合わせてインソールのつま先部分をカットし、デザイン的に靴全体に一体性を持たせる。また、靴のアッパーに軽くて柔らかく、履き心地と発色のよいオーストラリア産のカンガルー革と日本の牛革とイタリア産の羊を使用し、歩きやすさとおしゃれなデザインを実現する。【選択図】図１
2020081810.tif 000002
【特許請求の範囲】
【請求項１】
かかとが地面（床面）に引っかかることを防ぐために、下肢装具（靴）のかかとの部分を斜めにカットする。
【請求項２】
靴底がしなって歩行しやすくするために、土踏まずの部分の靴底をえぐって可動性を高める。
【請求項３】
靴のアッパー（甲革）の部分に軽くて柔らかく、履き心地のよいオーストラリア産のカンガルー革を使用し、一層歩きやすくする。ファスナーが付いてる。布と綿を柔らかく伸びる為。
【請求項４】
靴底に敷くインソールを使用者の注文に応じて形をカットできるようにする。
靴底に敷くインソールの土踏まずの部分にふくらみを持たせて、足裏のアーチ型をキープできるようにする。
【発明の詳細な説明】
【技術分野】
【０００１】  本発明は、足に障害がある人をより歩きやすくするためのカット短下肢装具（靴）に関する。
【背景技術】
【０００２】  従来のカット短下肢装具（靴）は、靴底がつま先からかかとの部分までほとんど平らであるため、足を地面（床面）から十分に持ち上げて歩くことが難しい障害者は、かかとの部分が地面（床面）に引っかかって歩きにくかった。（例えば、特開２００１−３７８２６参照）また、インソール（靴敷き）もほとんど平らであるため、歩く機会が少ないために足のアーチ型が保てなくなっている人は歩きづらいものであった。
さらに、従来の短下肢装具（靴）は、実用面に重点を置き、おしゃれやデザインにはあまり重きを置いていなかった。
【発明の概要】
【発明が解決しようとする課題】
【０００３】  本発明は、カット短下肢装具（靴）を一層歩きやすくし、爽快な使用感を実現するとともに、障害のある人が積極的に使用して外出しようとする意欲をかきたてることを目指している。
【課題を解決するための手段】  この問題を解決するために、かかとの部分を斜めにカットすることにより、かかとが地面（床面）に引っかかることを防ぐものである。【０００４】  また、第２の課題解決手段は、土踏まずの部分の靴底をえぐることによりインソールの幅や長さは自由に調節でき、靴底がしなって歩行しやすくなるようにすることである。【０００５】  第３の課題可決手段は、インソールの土踏まずの部分にカーブをつけ、歩く機会が少ないために足のアーチ型が保てなくなっている人の歩行を助けるものである。【０００６】  第４の課題可決手段は、取り外しのできるつま先部分に合わせてインソールのつま先部分をカットし、デザイン的に靴全体に一体性を持たせることである。上のチャックと柔らかい素材を付けている。【０００７】  第５の課題解決手段は、靴のアッパー（甲革）に軽くて柔らかく、履き心地と発色のよい、日本製の牛革とイタリア産の羊革とオーストラリア産のカンガルー革を使用し、歩きやすさとおしゃれなデザインを実現することである。
【発明の効果】
【０００８】  上述したように、本発明の短下肢装具（靴）は、障害がある人の歩行を助け、室内に閉じこもりがちな人たちが積極的に外に出ようとする意欲をかきたてることができる。
【図面の簡単な説明】
【０００９】
【図１】  外用短下肢装具（左右靴）の側面図
【図２】  靴底の断面図（左右足の場合）
【図３】  室内用短下肢装具のインソールの平面図
【図４】  室内用短下肢装具のインソールの長軸断面図（左右足の場合）  室外▲１▼  材料の件  ・アッパー（甲革）には軽くて柔らかく、履き心地と発色のよい日本製の牛革とイタリア産の羊革とオーストラリア産のカンガルー革を使用する。室外▲２▼  かかとの件  ・かかとを斜めにカットして、歩きやすいようにする。図面１〜４に関する件  ▲１▼特開２００１−３７８２６参照をする為（左右の変更をする。）  ▲２▼ファスナーを付ける。▲３▼柔らかい革と綿。▲４▼［図３］の踵部分の上と下を調節する。
【発明を実施するための形態】
【００１０】  以下、本発明の実施の形態を図１〜図４に基づいて説明する。
【００１１】  図１においては、かかと部分を斜めにカットし、カット面は平面または緩やかな曲面とする。土踏まず部分にカーブを描くようにえぐりを入れて靴底が弾力性をもってしなるようにする。アッパー（甲革）には日本製の牛革とイタリア産の羊革とオーストラリア産のカンガルーの革を使用する。
【００１２】  図２は外用短下肢装具（靴）の底の三ケ所における横断面図で、最も横幅の広いボール部分はほぼ平らだが、土踏まずの部分は高さを持たせ、かかと部分は半ドーム型にしてかかとをしっかりとホールドできるようにする。
【００１３】  図３は外用短下肢装具のインソールの平面図で、つま先部分のカットと、土踏まず部分のふくらみを示す。
【００１４】  図４は外用短下肢装具のインソールの長軸断面図で、土踏まずの部分を盛り上げて足のアーチ型を保てるようにする。
【００１５】特開２００１−３７８２６により、季節に応じて先端部分を取り替えることが出来る。
冬は防寒に優れた素材を使い、夏は風通しのよい素材を使うことにより多様性に優れている。
【産業上の利用可能性】
【００１６】  本発明は障害のある人の社会参加や社会進出を積極的に支援するものであり、円滑な歩行に役立つだけでなく、障害のある人のおしゃれ心を満たし、補装具にデザイン性をもたせる意味で産業上の発展に寄与するものと考える。
【図１】
2020081810.tif 000003
【図２】
2020081810.tif 000004
【図３】
2020081810.tif 000005
【図４】
2020081810.tif 000006
(57)【要約】【課題】本発明は、ダンベル又はバーベルシャフトに取り付けて使用されることによって、身体や外部の物品の損傷を保護する新規な保護具を提供することを目的とする。【解決手段】ダンベルのシャフトの端部に取り付け可能であり、ダンベルシャフトの外径よりも大きな外径を有し、ダンベルシャフトの端部に取り付けた場合に、ダンベルシャフトの先端部が外部に突出しないようにする。【選択図】図１
2020081813.tif 000002
【特許請求の範囲】
【請求項１】
ダンベルのシャフトの端部に取り付け可能であり、前記シャフトの外径よりも大きな外径を有し、前記シャフトの端部に取り付けた場合に、前記シャフトの先端部が外部に突出しないようにすることを特徴とするダンベルシャフト保護具。
【請求項２】
板状であり主面の略中心部に係止部が形成され、前記シャフトが前記係止部に装着されることを特徴とする請求項１記載のダンベルシャフト保護具。
【請求項３】
円盤状であり、主面の略中心位置に係止部材が形成され、前記係止部材が前記シャフトに係止可能であることを特徴とする請求項１記載のダンベルシャフト保護具。
【請求項４】
外径が、３ｃｍ以上であることを特徴とする請求項１〜請求項３いずれか一つに記載のダンベルシャフト保護具。
【発明の詳細な説明】
【技術分野】
【０００１】  本発明は、ダンベルシャフトに取り付けて使用される保護具に関する。
【背景技術】
【０００２】  トレーニング器具であるダンベルは重さを調節できない「重量固定式のダンベル」とプレートを差し替えることにより、重量をその都度変更できる「プレートはめ換え式のダンベル」が存在する。プレートはめ換え式のダンベルはプレート中央の穴からシャフトを貫通させ、止め具にて固定し使用する。【０００３】  筋肉トレーニング種目であるダンベルプレスやショルダープレスなどを行う際、トレーニングに入る前にダンベルを膝の上などの体の一部や器具の上に置き（以下、「準備動作」と呼ぶ）、その後競技に入る。プレートはめ換え式のダンベルではシャフトが貫通しむき出しになっている。そのため前記準備動作の際は、シャフトが貫通されたプレートの約半径分の面積を使用し膝の上などの体の一部や器具の上に置き準備動作にはいる。
【発明の概要】
【発明が解決しようとする課題】
【０００４】  しかしながら、自分が持てる限界の重量のあるダンベルを正確に扱い、準備動作に入るのは困難を極める。少しでもプレートの半径から身体が逸れれば貫通されたプレートが身体に刺さり大きな痛みを伴うどころか外傷の危険性も存在する。【０００５】  また、トレーニングを終えた後もこの準備動作と同じ形になる種目も存在する。トレーニングを終えたということは疲労困憊状態であり、ダンベルのコントロールは更に困難を極める。この状態での準備動作はシャフトが身体に刺さり怪我をする可能性が更に上がると言える。【０００６】  更に貫通されたシャフトは固く頑丈である。トレーニングに関わらずそれ以外の時でも、人間や物にあたれば危険を要する。【０００７】  現在このようなシャフトを保護する物は存在せず、怪我のリスクを背負いながらトレーニングを行っているのが現状である。【０００８】  本発明は、前記構造的課題に鑑みて完成されたものであり、準備動作をスムーズかつ安全に行うことができる、新規な保護具を提供することを目的とする。
【課題を解決するための手段】
【０００９】  前記構造的課題を解決する本発明の保護具は、ダンベルやバーベルのシャフト先端に取り付けて使用される保護具である（以下、「本発明器具」と呼ぶ）
【発明の効果】
【００１０】  本発明によれば、トレーニング中や準備動作中などの怪我や物損の防止ができるとともに、スムーズにトレーニングが施行できる。
【図面の簡単な説明】
【００１１】
【図１】本発明器具の全体の形態を示し、シャフト先端を固定する方法の斜面図であり、図１（ａ）は螺合状の係止孔２を設置した一例である。図１（ｂ）は、係止部材３を設置した一例である。
【図２】シャフト先端を係止孔に挿入して、本発明器具をダンベルシャフトに固定した状態を示し、図２（ａ）は側面図であり、図２（ｂ）は側面断面図である。
【図３】実際に前記本発明器具を使用し、準備動作に入った時の形態である。
【発明を実施するための形態】
【００１２】以下、本発明の実施形態を図面に基づいて説明するが、本発明はこの実施形態に限定されたものではない。
【００１３】図１（ａ）に、本発明器具の全体の形態を示す。前記本発明器具は、保護具１に螺合状の係止孔２を具備する。
【００１４】シャフト先端が身体に刺さることを予防する本発明の為、保護具１の外径は前記シャフトの外径よりも大きな外径を有する必要がある。
【００１５】また、身体に痛みを与えない為に、保護具１の外径は３ｃｍ以上が好ましいといえる。
【００１６】保護具１は、図１（ａ）では円板状であるが、それに限定されたものではない。流通されているほとんどのプレートは円であるため、保護具１は円が好ましいが円に限定されたものではなく、多角形でも実用可能である。
【００１７】また、保護具１の素材は、身体の表面や床に置いたりするため、防音性と衝撃吸収性に優れたゴム素材が好ましい。
【００１８】また、保護具１の係止孔２の位置は身体に置いた時の軸のバランスを安定させるために、前記係止孔２は前記保護具１の中心の位置が好ましい。
【００１９】本発明器具はシャフトの形状によって固定方法が変化する。固定方法の一例として、図１（ａ）では保護具１に螺合状の係止孔２を設置し、前記螺合状の係止孔２に螺合状タイプのシャフトを螺合固定する形態を示している。なお固定する際、シャフト先端が保護具１の裏面から突出しないように固定する。また図１（ｂ）のように、係止部材３を増設し固定する方法も一例として存在する。前記係止部材３の増設の一例は、螺合状タイプのシャフトだけではなく滑面状タイプのシャフトに使用することができる。係止部材３の一例として図１（ｂ）に示すように、シャフトの先端を挿入する、筒部３ａとシャフト側面から係止するピン３ｂとから構成されたものが考えられる。
【００２０】係止部材３の係止方法は多く存在するが、本発明器具は前記係止方法に限定したものではない。
【００２１】＜本発明器具の使用態様＞
図２（ａ）のように、シャフトＡにプレートＢを貫通させ固定したあと、本発明器具をシャフトＡ先端より固定する。その後、図３の様な準備動作の場合、ダンベルを持ち上げ、本発明器具を使用者の大腿部の上に置く。その後トレーニングに入る。こうすることで、シャフトＡの先端を守る本発明器具が、大腿部を保護し、外傷や疼痛のリスクを回避できる。またこれにより、トレーニングをスムーズかつ安全に行うことができる。
【符号の説明】
【００２２】１    保護具（本発明器具本体）
２    螺合状の係止孔
３    係止部材
３ａ  筒部
３ｂ  ピン
Ａ    シャフト
Ｂ    プレート（重り）
【図１】
2020081813.tif 000003
【図２】
2020081813.tif 000004
【図３】
2020081813.tif 000005
(57)【要約】【課題】痛みの伴わない耳飾りを提供する。【解決手段】耳飾り本体１とシール２から構成されていて、両面に粘着性の物質を塗布したシール２を耳に粘着する。【選択図】図１
2020081819.tif 000002
【特許請求の範囲】
【請求項１】
耳飾り本体１と両面に粘着性の物質を塗布したシール２から成る耳飾りにおいて、前記シール２は、耳飾り本体１と耳に接着される事を特徴とする耳飾り。
【発明の詳細な説明】
【技術分野】
【０００１】  本発明は耳飾りに関する。
【背景技術】
【０００２】  従来の耳飾りは痛みを伴ったり、落としやすかったが、本発明は痛みを伴わず、落ちにくい耳飾りを提供する。
【先行技術文献】
【特許文献】
【０００３】
【特許文献１】特開平８−１５４７１３
【発明の概要】
【発明が解決しようとする課題】
【０００４】      従来の耳飾りは、ピアスやイヤリングだが、本発明は穴を開けたり、挟んだりせずに、耳の負担を軽減する目的である。
【課題を解決するための手段】
【０００５】      本発明に関わる耳飾りは耳飾り本体１はプレートの形状を有してステンレスや、鉄、銀、金、プラチナを含む金属で構成されている。耳飾り本体１の下端には他の装飾具を連結する連結具を有する。この連結具は環状、フック状、磁石などでも良い。【０００６】      シール２はポリエステルフィルムの両面に粘着性の物質を塗布したものである。【０００７】      図１で説明する。
【発明の効果】
【０００８】      本発明においては、ピアスやイヤリングを使用したときに生ずる、耳たぶの痛みを殆ど感じずに使用できる。
【図面の簡単な説明】
【０００９】
【図１】耳飾りの全体図を示す
【発明を実施するための形態】
【００１０】    丸カンを通す穴のあるプレートの耳飾り本体１に両面に粘着性の物質を塗布したシール２を貼り付けて、シール面を耳たぶに張る。
【符号の説明】
【００１１】１耳飾り本体
２両面に粘着性の物質を塗布したシール
【図１】
2020081819.tif 000003
(57)【要約】      （修正有）【課題】積木、ブロックの内部に磁石を内蔵して、もう一方の積木、ブロックどうしを何個でもスムーズに連結して遊ぶ事が出来る磁石内蔵積木、ブロック玩具を提供する。【解決手段】積木、ブロック１に穴２を各面ごとにあけて、穴２に球形の磁石３を各穴２に入れて、、中で磁石が回転する仕組みを作り、Ｓ極とＮ極がスムーズに引合うようにして、磁石どうしの反発を無くすようにして各穴２に蓋４をしたもので磁石の反発箇所がない事を特徴とした磁石内蔵積木、ブロック玩具。【選択図】図１
2020081817.tif 000002
【特許請求の範囲】
【請求項１】
積木、ブロック（１）に穴（２）を各面ごとにあけて、穴（２）に球形の磁石（３）を各穴（２）に入れて、中で磁石が回転する仕組みを作り、各穴（２）に蓋（４）をしたもので磁石の反発箇所がない事を特徴とした磁石内蔵積木、ブロック玩具。
【発明の詳細な説明】
【技術分野】
【０００１】この発明は積木の内部に球形の磁石を内蔵し、内部で球形磁石がＳ極とＮ極が引合うように回転し、もう一方の積木どうし無反発で何個でもスムーズに連結して遊ぶ事が出来る積木に関するものである。
【背景技術】
【０００２】従来、磁石内蔵の積木はあったが、場所によって磁力の反発で、積木どうしがつかない箇所があるという欠点があった。
【先行技術文献】
【特許文献】
【０００３】
【特許文献１】実開昭５４−０６８９９号公報
【発明の概要】
【発明が解決しようとする課題】
【０００４】これは、次のような欠点があった。
従来の磁石内蔵の積木は磁力の反発により積木どうしが連結しない箇所があり、Ｓ極とＮ極箇所を探して付けるという手間があり、連結する際のスムーズさと自由度が制限されていたが、本発明は、以上のような欠点をなくすために積木、ブロックの面ごとに穴をあけ、その中に球形の磁石を入れて蓋をし、中で磁石が回転する仕組みを作り、Ｓ極とＮ極が引合うようにして磁石どうしの反発を無くすようにして、難しく考えることなく幼児や子供にもスムーズに積木どうしをどこの面でも連結できる様にして、従来の欠点をなくし、取扱い性の良い積木を幼児から大人へ提供することを目的とし、次の構成をとる。
【課題を解決するための手段】
【０００５】積木（１）に穴（２）を各面ごとにあけて、穴（２）に球形の磁石（３）を各穴（２）に入れて、各穴（２）に蓋（４）をしたものである。
本発明は、以上の構成よりなる磁石内蔵の積木である。
【発明の効果】
【０００６】積木どうしが、連結しない箇所がないので、従来よりも考えることなく幼児や子供でもスムーズに場所を選ばずに積木を連結して遊ぶことができる。
【図面の簡単な説明】
【０００７】
【図１】本発明に係る積木、ブロックの第１の実施形態を示す斜視図である。
【図２】本発明に係る積木、ブロックの第２の実施形態を示す斜視図である。
【図３】本発明に係る積木、ブロックの第１の実施形態を示す平面図である。
【図４】本発明に係る積木、ブロックの第２の実施形態を示す平面図である。
【発明を実施するための形態】
【０００８】以下、本発明を実施するための形態について説明する。
積木（１）に穴（２）を各面ごとにあけて、穴（２）に球形の磁石（３）を各穴（２）に入れて、各穴（２）に蓋（４）をして接着する
本発明は、以上のような構造である。
この磁石内蔵積木をいくつもスムーズに連結して遊ぶ事ができる。
【符号の説明】
【０００９】１  積木、ブロック
２  穴
３  球形磁石
４  蓋
【図１】
2020081817.tif 000003
【図２】
2020081817.tif 000004
【図３】
2020081817.tif 000005
【図４】
2020081817.tif 000006
(57)【要約】      （修正有）【課題】サラダスピナーと呼称されている野菜の水切り器において、片手で握り柄を持って、上下に揺するだけで簡単に食品の脱水、及び揚げ物の油切りが出来る食材脱水器を提供する。【解決手段】笊２００と可動自在に接合された握り柄１００を上下に振って、笊２００の加速停止を繰り返して、この中に入れた野菜等の食品の脱水を行う。金属製にすれば揚げ物の油切りにも使用出来る。【選択図】図４
2020081672.tif 000002
【特許請求の範囲】
【請求項１】
握り柄と笊が可動自在に且つ握り柄の一部と笊の一部とが隙間を有して接触するよう接合されてなる食材水切り用の笊であって、握り柄を上下に振動させた際に、両者が接触する事により、この笊への加速と停止が繰りかえされて、笊内の食材が脱水される事を特徴とする食材脱水器
【請求項２】
開閉自在な蓋を具備する請求項１記載の食材脱水器
【発明の詳細な説明】
【技術分野】
【０００１】
本発明は野菜等の食材の水切り器に関するものである。又、揚げ物の油切りにも利用出来る。
【背景技術】
【０００２】
従来の野菜等の水切り器はいわゆるサラダスピナーと称し、特許文献１の形態のものが普及している。水切り笊に野菜等を入れハンドルを回して水切りするのであるが、調理台等の上に置いて使うため、場所を取り、収納にも不便であった。また、笊を回転させるための機構が複雑で、値段も高い欠点があった。
【０００３】
又、片手で使えて、収納にも便利な特許文献２が存在するが、笊を回転させるための機構が複雑であると云う欠点があった。
【先行技術文献】
【特許文献】
【０００４】
【特許文献１】実願2004-007259
【特許文献２】特願2011-082831
【発明の概要】
【発明が解決しようとする課題】
【０００５】
本発明は簡単な構造で、且つ片手で簡単に使う事が出来て収納も便利な水切り器であって、上記した欠点を解消するものである。
【課題を解決するための手段】
【０００６】
笊を回転させるのではなく、この笊を上下に振って、この中の食材を脱水する。
笊と握り柄とは一定の間隔を以て、且つ握り柄の一部と笊の一部とが接触する様に可動自在に接合されていて、握り柄を上下に揺すった際、笊も揺れるのであるが、一定振幅以上になると両者が接触し、この揺れが停止する。
【０００７】
握り柄を連続的に上下に揺する事により、加速と停止が繰り返されて笊の中の食品が脱水されるのである。  
【０００８】
更に、握り柄に可動自在な開閉蓋を具備する事により、蓋を別途用意する必要が無くなる。
【発明の効果】
【０００９】
片手で握り柄を持って、上下に揺するだけで簡単に食品の脱水、及び揚げ物の油切りが出来る。
特に、揚げ物の油切りの際には、回転式では回転させる迄に一定の時間を要していて油の温度が下がり粘性が増して脱油効果が下がっていたが、本案に於いて揚げ物を笊に入れて直ち上下に揺する事が出来るので、油の温度を下げる事無く、油切り効果が大きい。
【図面の簡単な説明】
【００１０】
【図１】本発明の側面図
【図２】本発明を下に振った図
【図３】本発明を上に振った図
【図４】開閉自在蓋を具備し握り柄がステンレス棒製である本発明の斜視図
【発明を実施するための形態】
【００１１】
以下図を使い本発明の実施例について説明をする。
図１に示す様に、笊２００と握り柄１００は可動支点３００で可動自在に一定の隙間４００を以て接合されている。
【００１２】
笊２００の上部補強枠２５０と下部補強枠２５５に対向して、握り柄１００には上部接触面１５０と下部接触面１５５とを有し、握り柄１００を揺った際には、上部補強枠２５０と上部接触面１５０が、下部補強枠２５５と下部接触面１５５がそれぞれ接触する。
【００１３】
図２に示す様に、握り柄１００を下に（矢印Ｂ）振ると、笊２００は可動支点３００を回転中心として相対的に矢印Ｃに示す様に動き、上部接触面１５０と上部補強枠２５０とが接触し衝突停止する。
【００１４】
図３に示す様に、握り柄１００を上に（矢印Ａ）振ると、笊２００は可動支点３００を回転中心として相対的に矢印Ｄに示す様に動き、下部接触面１５５と上部補強枠２５５とが接触し衝突停止する。
【００１５】
握り柄１００を連続的に揺すれば、両者の衝突が繰り替えされ、笊２００の加速と停止も繰り返されて、笊２００の内容物は上下に振動させられるのである。そして蓋Ｆにより内容物は笊２００の内部に留り、この内容物に付着した水分、又は油分のみがこの加速度により外部に散飛するのである。    
【００１６】
図３は開閉自在蓋５００を具備する本発明の実施例である。
これにより、別途に蓋を用意することなく、片手で蓋を開閉して食材を出し入れして使う事が出来る。
【符号の説明】
【００１７】
１００    握り柄
１５０    上部接触面
１５５    下部接触面
２００    笊
２５０    上部補強枠
２５５    下部補強枠
３００    可動支点
４００    笊と握り柄との接合間隔
５００    開閉自在蓋
Ｆ        蓋
【図１】
2020081672.tif 000003
【図２】
2020081672.tif 000004
【図３】
2020081672.tif 000005
【図４】
2020081672.tif 000006
(57)【要約】【課題】この発明は、水洗トイレでの排泄物による水はねによって起こる尿路感染を防ぐために考案された使い捨て紙手袋を提供するものである。【解決手段】トイレットペーパーと同様、水に流せる紙を使い、これを手袋状に成形する。この紙手袋を用いて、外尿道口を覆うことにより、水はねによる外尿道口の汚染を防ぐことを特徴とする。【選択図】図１
2020117845.tif 000002
【特許請求の範囲】
【請求項１】
水洗トイレでの排泄物の水はねによって起こる外尿道口の汚染を防ぐための水に流せる使い捨て紙手袋。
【発明の詳細な説明】
【技術分野】
【０００１】水洗トイレでの排泄物による水はねによって起こる尿路感染を防ぐために考案された使い捨て紙手袋に関するものである。
【背景技術】
【００２】水洗トイレでは便器に水がたまっており、排泄物で水はねを生じやすい。これを防ぐために、色々な工夫がなされているが、水はねを確実に防ぐことは難しい。
【特許文献】
【００３】
【特許文献１】特開２００４−０５２１２２
【特許文献２】特開２０１５−１２０８８２
【発明の概要】
【発明が解決しようとする課題】
【００４】従来の発想は、水はねを生じないようにする工夫であるが、安価で簡便、確実な方法は見当たらず、排泄物による水はねで外尿道口が汚染されるのを、確実に防ぐことは難しい。この水はねは、単に不快であるだけではなく、大腸菌などによる腸内細菌によって外尿道口が汚染され、尿道炎、前立腺炎、膀胱炎、腎盂炎等の尿路感染を引き起こす原因になる。
本発明はこのような問題を解決するためになされたものである。
【課題を解決するための手段】
【００５】トイレットペーパーと同様、水に流せる紙を使い、これを手袋状に成形する。この紙手袋を手にはめて、外尿道口を覆うことにより、水はねによる汚染を防ぐことができる。使用後はそのままトイレに流すことができる。このような目的で作られた紙手袋は今までにないものである。
【発明の効果】
【００６】手を汚すことなく、水はねで外尿道口が汚染されるのを防ぐことができ、尿路感染を予防できる。
【図面の簡単な説明】
【００７】
【図１】水に流せる紙を用いて、手が入るように成形された紙手袋。
【発明を実施するための形態】
【００８】まず成形した紙手袋に手を差し込む。次に紙手袋の手掌面で外尿道口を覆うようにして陰部にあてがう。これにより、水はねを紙手袋の手背面で受けることができ、手を汚すことなく、外尿道口の汚染を防ぐことができる。
【符号の説明】
【０９】１    手を差し込む部分
２    ２〜５指を入れる部分
３    １指を入れる部分
【図１】
2020117845.tif 000003
(57)【要約】【課題】  取り付け、取り外し可能な半巾帯のリボン結びのたれ具を提供する。【解決手段】  半巾帯のたれ具の上部にダーツを設け、ダーツの裏面に面テープを設け、従来のリボン結びの作り帯本体の面テープに装着することを特徴とする半巾帯のリボン結びのたれ具。【選択図】図１
2020117847.tif 000002
【特許請求の範囲】
【請求項１】
半巾帯のたれ具の上部にダーツを設け、ダーツの裏面に面テープを設け、従来のリボン結びの作り帯本体の面テープと装着することを特徴とする半巾帯のリボン結びのたれ具。
【発明の詳細な説明】
【技術分野】
【０００１】本発明は半巾帯のリボン結びのたれ具に関するものである。
【背景技術】
【０００２】半巾帯のリボン結びのたれ具が固定されたリボン結びの作り帯があった。
【発明の開示】
【発明が解決しようとする課題】
【０００３】そのために次のような問題点があった。
リボン結びのたれ具が、取り付けられ、固定されているため他の帯結びの形に変化できない。
本発明は、これらの問題点を解決するためになされたものである。
【課題を解決するための手段】
【０００４】半巾帯のたれ具の上部にダーツを設け、ダーツの裏面に面テープを設け、従来のリボン結びの作り帯本体の面テープと装着することを特徴とする半巾帯のリボン結びのたれ具である。
【発明の効果】
【０００５】作り帯にたれ具を取り付ける、又は取り外すことにより半巾帯のリボン結びが、他の帯結びの形に変化できる。帯締めを用いて、たれを締める帯結びをすれば年齢を問わず、着用できる帯結びが可能になり、浴衣以外の着物に使用できる帯結びが可能になる。
【発明を実施するために最良の形態】
【０００６】以下、本発明の実施の形態について説明する。
（イ）半巾帯のたれ具（１）の上部にダーツ（２）を設ける。
（ロ）たれ具（４）の裏面のダーツ（２）の上に重ねて、面テープ（３）を設ける。
（ハ）従来のリボン結びの作り帯の裏面の中心部に面テープ（７）を設ける。
本発明は以上のような構成で、これを使用するときは、たれ具の面テープ（３）をリボン結び本体の面テープ（７）に装着して差し込み部（６）を背中と帯の間に差し込み、帯結びにする。
【図面の簡単な説明】
【０００７】
【図１】  本発明の斜視図である。
【図２】  本発明の表面図である。
【図３】  本発明の裏面図である。
【図４】  従来のリボンの作り帯に面テープを設けた図
【符号の説明】
【０００８】１  たれ具の表面
２  ダーツ
３  面テープ
４  たれ具の裏面
５  リボン
６  差し込み部
７  面テープ
【図１】
2020117847.tif 000003
【図２】
2020117847.tif 000004
【図３】
2020117847.tif 000005
【図４】
2020117847.tif 000006
(57)【要約】【課題】従来のホイールカバーはホイールの左右から２枚のホイールカバーを重ねてネジとナットで絞めて固定するため、走行中にホイールと一緒に回転しホイールカバーにラッピングのデザインが走行中に認識できない。【解決手段】ホイールのリアハブとカセットスプロケットの間にホイールカバーを設置。自転車フレームのシートステーとチェーンステーにホイールカバーを固定する支柱を設け自転車側に結束バンドで固定、ホイールカバーの裏からネジで固定。ホイールのリムにホイールカバーのバタつきを軽減させる溝のあるガイドを設置。ホイールカバーを溝にはめることで、ホイールカバーのバタつきを軽減する。【選択図】図６
2020117201.tif 000002
【特許請求の範囲】
【請求項１】
ホイールとホイールカバーが一体状態で回転することを防止する回転防止手段として自転車のシートステーとチェーンステーの間に支柱を配置する事と、ホイールのリムに溝のあるガイドを設置し、ホイールカバーをはめることで、ホイールカバーを安定させることを特徴とする固定ホイールカバー。
【発明の詳細な説明】
【技術分野】
【０００１】      本発明は、自転車後輪のホイールカバーに関する。
【背景技術】
【０００２】      従来のホイールカバーはホイールの左右から２枚のホイールカバーを重ねてネジとナットで絞めて固定するため、走行中にホイールと一緒に回転する。
【先行技術文献】
【特許文献】
【０００３】
【特許文献１】特許第３１６２６７３号  公報
【非特許文献】
【０００４】
【非特許文献１】リアホイールカバーＤＷＣ０６４
【発明の概要】
【発明が解決しようとする課題】
【０００５】      従来のホイールカバーはホイールの左右から２枚のホイールカバーを重ねてネジとナットで絞めて固定する方法を用いていた。そのため走行中にホイールと一緒にホイールカバーが回転し、カバーに施したデザインを走行中に正しく視認できない問題があった。【０００６】      本発明は前記した問題を解決するためにホイールが回転してもホイールカバーは回転せず、ホイールカバーに施したデザインを正しく視認できる状態にすることを目的としている。
【課題を解決するための手段】
【０００７】      上記課題を解決するためにホイールのリアハブとカセットスプロケットの間にホイールカバーを設置、自転車フレームのシートステーとチェーンステーにホイールカバーを固定する支柱を設置したものを自転車側に結束バンドで固定、ホイールカバーの裏からネジで固定することでホイールカバーの回転を防止、ホイールのリムにホイールカバーが風でバタつくのを軽減するためのガイドを設置し、ガイドの溝にホイールカバーをはめる方法を要している。
【発明の効果】
【０００８】      自転車のホイールカバーを静止状態に保つことによりホイールカバー本体を広告、宣伝に利用することができる。
【図面の簡単な説明】
【０００９】
【図１】ホイールカバーをリアハブとカセットスプロケットの間に設置した縦断面図
【図２】本発明の実施形態を表すホイールの外観図
【図３】ホイールのリムにガイドを設置し、ホイールカバーをはめた断面図
【図４】ホイールカバーをシートステーと支柱に固定した図
【図５】ホイールカバーをチェーンステーと支柱に固定した図
【図６】本発明の実施形態を表す自転車の外観図
【発明を実施するための形態】
【００１０】以下、本発明の実施の形態を図１〜図６に基づいて説明する。ホイールカバーをリアハブとカセットスプロケットの間に設置した縦断面図、図１に示すホイールカバー１をフリーハブ３に設置し、上からカセットスプロケット２を取り付ける。
【００１１】      図３に示すガイド４をリム５に複数個設置し、ガイド４の溝にホイールカバー１をはめることにより、ホイールカバー１が走行中のバタつきを軽減する。
【００１２】      図２に示すのは図１と図３の実施状態を横から見た外観図である。
【００１３】      図４ないし図５に示すのはホイールカバー１を固定するため支柱１５をシートステー６ないしチェーンステー７とホイールカバー１の間に結束バンド１０とゴムシート１１を使用し取り付け、支柱９の裏からホイールカバー１をネジ８で固定した図である。
【００１４】      この様に本発明の実施状態を示す全体図が図６である。
【符号の説明】
【００１５】１：ホイールカバー
２：カセットスプロケット
３：フリーハブ
４：ガイド
５：リム
６：シートステー
７：チェーンステー
８：ネジ
９：支柱
１０：結束バンド
１１：ゴムシート
【図１】
2020117201.tif 000003
【図２】
2020117201.tif 000004
【図３】
2020117201.tif 000005
【図４】
2020117201.tif 000006
【図５】
2020117201.tif 000007
【図６】
2020117201.tif 000008
【手続補正書】
【提出日】令和1年12月4日(2019.12.4)
【手続補正１】
【補正対象書類名】特許請求の範囲
【補正対象項目名】全文
【補正方法】変更
【補正の内容】
【特許請求の範囲】
【請求項１】
ホイールとホイールカバーが一体状態で回転することを防止する回転防止手段として自転車のシートステーないしチェーンステーとホイールカバーの間に支柱を配置する事と、ホイールのリムに、溝のあるガイドをリムの周方向にそれぞれ離間させて複数個設置し、ホイールカバーをはめることで、ホイールカバーを安定させることを特徴とする固定ホイールカバー。
(57)【要約】      （修正有）【課題】誤ってアクセルを踏みすぎても、一旦アクセルペタルを戻すことなく足先をずらすだけで、直ぐブレーキペタルを踏む事が出来る装置を提供する。【解決手段】アクセルペタルとブレーキペタルの高低差関係を従来と逆にする。アクセルペタルを最大限踏み込んでも（ベタ踏み状態）、アクセルペタルの高さはブレーキペタルより必ず上の位置になるように留める。既に製作された車に本発明を適用する場合、アクセルペタルにアタッチメント（付属装置）を装着したり、ブレーキ位置を下げることで同様の効果が得られる。【選択図】図２
2020117199.tif 000002
【特許請求の範囲】
【請求項１】
アクセルペタルを最大限踏み込んでも（ベタ踏み状態）、アクセルペタルの高さはブレーキペタルより必ず上の位置になるように留める。
【請求項２】
既に製作された車に本発明を適用する場合、アクセルペタルにアタッチメント（付属装置）を装着したり、ブレーキ位置を下げることで同様の効果を得る。
【発明の詳細な説明】
【技術分野】
【０００１】  本発明は、誤ってアクセルペタルを踏みすぎても、一旦アクセルペタルを戻すことなく足先をずらすだけで、直ぐブレーキペタルを踏む事が出来る装置である。
【背景技術】
【０００２】  アクセルペタルとブレーキペタルは、一般的にアクセルペタルが低い位置に、ブレーキペタルが高い位置、という高低差関係にある。
【発明の概要】
【発明が解決しようとする課題】
【０００３】  アクセルペタルとブレーキペタルの踏み間違いによる暴走・衝突事故が後を絶たない。
アクセルペタルとブレーキペタルの段差がその原因の一つであると考える。
アクセルペタルとブレーキペタルは、一般的にアクセルペタルが低い位置に、ブレーキペタルが高い位置、という高低差関係にある。
間違ってアクセルペタルを踏み込んだ場合、段差はさらに大きくなる。この段差が咄嗟の場合のブレーキペタルへの踏み替えに影響を及ぼし、暴走・衝突事故の一因になっていると考察する。
【課題を解決するための手段】
【０００４】  アクセルペタルとブレーキペタルの高低差関係を従来と逆にする。
アクセルペタルを最大限踏み込んでも（ベタ踏み状態）、アクセルペタルの高さはブレーキペタルより必ず上の位置になるように留める。
既に製作された車に本発明を適用する場合、アクセルペタルにアタッチメント（付属装置）を装着したり、ブレーキ位置を下げることで同様の効果が得られる。
【発明の効果】
【０００５】  アクセルペタルとブレーキペタルを踏み間違っても、足先をずらすだけで、必ず低い位置にあるブレーキペタルを踏み込む事が出来る
踏み替えのタイムラグが無くなるので、制動距離が短くなる。
又、普段からこの高さ位置関係に慣れることにより、咄嗟の場合も躊躇なくブレーキペタルに足が乗せられる。
既に製作された車でもアクセルペタルにアタッチメント（付属装置）を装着したりブレーキ位置を下げることで、暴走・衝突事故の減少に即効性がある。
【図面の簡単な説明】
【０００６】
【図１】  本発明の平面図である。
【図２】  アクセルペタルにアタッチメント（付属装置）を装着したり、ブレーキ位置を下げた平面図である。
【発明を実施するための形態】
【実施例】
【０００７】  以下、本発明を実施するための形態について説明する。
実施例は［図１］［図２］に共通する。
アクセルペタル▲１▼を最大限踏み込んでも（ベタ踏み状態）、ブレーキペタル▲２▼より必ず上の位置になるよう留める。
他の実施例を説明する。
アタッチメント（付属装置）▲３▼を装着したり、ブレーキ位置を下げたりしてもよい。
【符号の説明】
【０００８】  ▲１▼  アクセルペタル
▲２▼  ブレーキペタル
▲３▼  アタッチメント
【図１】
2020117199.tif 000003
【図２】
2020117199.tif 000004